(57)【要約】【課題】洗濯の際に洗濯水中に含まれる糸屑を効率的に捕集できる洗濯機を提供する。【解決手段】洗濯物を収容する洗濯兼脱水槽９と、前記洗濯兼脱水槽９を内包して洗濯水を溜める外槽１０と、前記洗濯兼脱水槽９の内周側に設けられ、糸屑フィルタ４１が取付けられるフィルターケース４０と、を備えた洗濯機において、前記フィルターケース４０の左右の側面に洗濯水導入経路を形成し、この洗濯水導入経路から前記フィルターケース４０内へ流入した洗濯水を、前記糸屑フィルタ４１を通って前記洗濯兼脱水槽９内へ供給する。【選択図】図７
2016032505.tif 000002
【特許請求の範囲】
【請求項１】
洗濯物を収容する洗濯兼脱水槽と、
前記洗濯兼脱水槽を内包して洗濯水を溜める外槽と、
前記洗濯兼脱水槽の内周側に設けられ、糸屑フィルタが取付けられるフィルターケースと、
を備えた洗濯機において、
前記フィルターケースの左右の側面に洗濯水導入経路が形成され、
この洗濯水導入経路から前記フィルターケース内へ流入した洗濯水が、前記糸屑フィルタを通って前記洗濯兼脱水槽内へ供給されることを特徴とする洗濯機。
【請求項２】
請求項１において、
前記洗濯水導入経路は、前記フィルターケースの内面のリブにより形成され、
左右方向について、一方側の前記リブが上へ傾斜し、他方の前記リブが下へ傾斜することを特徴とする洗濯機。
【請求項３】
請求項１において、
前記フィルターケースの幅方向中央に洗濯水導入孔が形成されており、
この洗濯水導入孔との対向面に、前記糸屑フィルタの導入口が位置することを特徴とする洗濯機。
【発明の詳細な説明】
【技術分野】
【０００１】
本発明は、洗濯水に含まれる糸屑等のごみを捕集する糸屑フィルタとフィルターケース及びこれを取り付けた洗濯機に関する。
【背景技術】
【０００２】
洗濯機の洗浄力は、洗濯物に洗濯機の機械的作用と洗剤による化学的作用の相互作用により生まれる。このため、機械的作用により衣類から糸屑が発生することは避けられない。この糸屑が洗濯物に付着すると、洗濯の仕上りが悪化するため、糸屑を捕集する糸屑フィルタを備えたものが一般的である。従来の洗濯機では、洗濯水の循環経路を設け、洗いやすすぎの時に洗濯槽内の洗濯水を循環させ、洗濯水中に出てきた糸屑を循環経路の途中に設けた糸屑フィルタで捕集するようになっている。糸屑フィルタの形式としては、ネットを袋状にしたものや、上面が開口し側面および底面を格子で形成した枠状のものなどがある。
【先行技術文献】
【特許文献】
【０００３】
【特許文献１】特開２０１３−２４４０８３号公報
【発明の概要】
【発明が解決しようとする課題】
【０００４】
上述した従来の洗濯機では、糸屑フィルタが循環水経路の吐き出し口に設置されている。洗濯槽内の洗濯水が洗濯槽下部に設置されている循環ポンプを経由しそこで大きな異物が取り除かれ、洗濯槽上部に設置されている洗濯槽カバー内にある糸屑フィルタを介してその他糸屑が取り除かれ槽内に循環水シャワーとして給水される。
【０００５】
洗濯槽内の洗濯水を循環させながら糸屑を取り去る仕組みであるが、槽内に貯められる水量に対し循環する流量によって取り除ける量に限りがある。
【０００６】
また、洗濯槽内の洗濯水は節水のための低水位から汚れ落ち等を重視する高水位までどちらの条件でも効率的に取り除ける必要がある。
【０００７】
本発明は、前記従来の問題を解決するものであり、循環ポンプの稼働に頼らず効率的に糸屑を捕集することのできる洗濯機を提供することを目的とする。
【課題を解決するための手段】
【０００８】
洗濯物を収容する洗濯兼脱水槽と、前記洗濯兼脱水槽を内包して洗濯水を溜める外槽と、前記洗濯兼脱水槽の内周側に設けられ、糸屑フィルタが取付けられるフィルターケースと、を備えた洗濯機において、前記フィルターケースの左右の側面に洗濯水導入経路を形成し、この洗濯水導入経路から前記フィルターケース内へ流入した洗濯水を、前記糸屑フィルタを通って前記洗濯兼脱水槽内へ供給する。
【発明の効果】
【０００９】
本発明によれば、循環ポンプの稼働に頼らず効率的に糸屑を捕集可能な洗濯機を提供できる。
【図面の簡単な説明】
【００１０】
【図１】本実施形態の洗濯乾燥機を示す外観図である。
【図２】本実施形態の洗濯乾燥機の概略構造を示す縦断面図である。
【図３】本実施形態の洗濯乾燥機における回転翼盤の斜視図である。
【図４】本実施形態の洗濯乾燥機における槽カバー上面の平面図である。
【図５】図４に示した槽カバー下面の循環水カバー取り付け部の部分平面図である。
【図６】図５において循環水カバーを取り外した状態を示す部分平面図である。
【図７】洗濯兼脱水槽に設置されているフィルターケースと糸屑フィルタを示す斜視図である。
【図８】図７におけるＡ−Ａの部分断面図である。
【図９】フィルターケースの背面図である。
【図１０】糸屑フィルタの構造を示す斜視図である。
【発明を実施するための形態】
【００１１】
１は、外郭を構成する四角筒状の外枠である。２は、外枠１の上部に取り付けられたトップカバーである。３は、トップカバー２に取り付けられた外蓋３である。外蓋３は、中央で折り曲げて開くようになっており、その前側に各種操作ボタンスイッチ６、６ａや表示器７、２５を備えた操作パネル８を設けてある。操作パネル８は、機体底部に設けた制御装置１４に電気的に接続している。５はトップカバー２の前面に設けた電源スイッチである。トップカバー２の後部には給水電磁弁４やヒータ２０、送風ファン１９などの給水、乾燥に関連する部品を、トップカバー２の前側には洗剤・仕上げ剤容器２８を内蔵している。   
９は、洗濯兼脱水槽で、その外周壁に通水および通風のための複数の小さな脱水孔９ａを有し、その底壁に通水および通風のための複数の脱水孔９ｂを有し、その上縁部に流体バランサー９ｃを備え、底部の内側には回転自在に回転翼盤１１を回転可能に設置する。
前記回転翼盤１１は、図３に示すように、その上面に、回転することによって該洗濯兼脱水槽９内に投入されて回転翼盤１１上に乗っている洗濯物に上向きの動きを繰り返し発生するように、回転方向になだらかに傾斜した複数の傾斜面を形成する隆起部１１ａと、多数の水抜き貫通孔１１ｂを備える。隆起部１１ａは、回転方向に山形に傾斜し、且つ外周部位が順次に高くなるように径方向に傾斜し、更に、外周端面１１ｃは上部を中心側に倒すように傾斜させた傾斜面とする。本実施例では、隆起部１１ａを２個設けてある。
回転翼盤１１が回転すると、この回転翼盤１１上の洗濯物は、回転翼盤１１上を滑りながら該回転翼盤１１の回転方向に回転すると共に隆起部１１ａに押されて上下方向に振動する。この時、洗濯水を循環しながら洗濯物の上方から振り掛け、洗濯物へ洗濯水を行き渡らせる。こうすることで、洗濯兼脱水槽９内に洗濯水を溜めなくても、洗濯物を洗濯することができ、大幅な節水が可能である。   
１０は、前記洗濯兼脱水槽９を内包する外槽であり、その底部の外側には洗濯脱水駆動装置を取り付ける。この外槽１０は、外枠１の上端部の四隅部に設けた隅板に係止して垂下させた４本の支持棒に緩衝装置１０ａを介して該外槽１０の四方位を係合させて均等に支持することにより該外枠１の中心部に懸垂する。前記洗濯脱水駆動装置は、インバータ駆動電動機または可逆回転型のコンデンサ分相単相誘導電動機を使用した洗濯脱水駆動電動機１３と電磁操作クラッチ機構１２と遊星歯車減速機構を内蔵し、洗濯脱水駆動電動機１３と電磁操作クラッチ機構１２を制御することによって、洗濯兼脱水槽９を静止させるように係止または自由に回転できるように解放した状態で回転翼盤１１を繰り返し正逆回転させる洗濯駆動モードと、洗濯兼脱水槽９と回転翼盤１１を一体的に同一方向に回転させる脱水駆動モードを選択的に実行する駆動機能を有する。   
２７は振動センサで、外槽１０の側面外側に設置してあり、洗濯時や洗濯兼脱水槽９が高速回転する脱水時の外槽１０の振動を検出する。   
３１は外槽１０の上面に設けた槽カバーである。図４は、槽カバー３１を上方から見た平面図である。槽カバー３１の前側から約２／３の部分には洗濯物投入口３１ａを有し、後面３１ｂには槽カバー３１の上面と下面を連通する温風吹き出し口２２ａ、給水入口３２、循環水入口３３が設けてある。また、槽カバー３１の前方には、洗剤・柔軟仕上げ剤入口２８ａが設けてある。２３は、洗濯物投入口３１ａを覆うように設けた内蓋である。内蓋２３は、ヒンジ２３ｂで開閉自在に取り付けられており、取っ手２３ａを上方に持ち上げることで、内蓋２３のロック（図示せず）が解除され、取っ手２３ａを下方に押すことでロックされるようになっている。   
２２は、乾燥ダクトで、乾燥通水通気口１０ｂと温風吹き出し口２２ａとの間を接続する。乾燥ダクト２２の途中には、送風ファン１９、ヒータ２０、リントフィルタ（図示せず）、除湿機構２２ｂ、温度センサ２６が設けてある。送風ファン１９を運転し、ヒータ２０に通電すると、洗濯兼脱水槽９内に温風が吹き込み、洗濯物を温め水分が蒸発する。高温多湿となった空気は、脱水孔９ａ、９ｂを通り外槽１０に出て、通水通気口１０ｂから乾燥ダクト２２に吸い込まれ、除湿機構２ｂを流下する冷却水で冷却除湿されて乾いた低温空気となり、ヒータ２０で再度加熱され、洗濯兼脱水槽９内に吹き込むように循環する。   
２９ａ、２９ｂ、２９ｃ、２９ｄ、２９ｅ、２９ｆは、ゴム製の蛇腹管で、振動変位する外槽１０や外槽カバー３１と固定側（外枠１やトップカバー２など）に設けた乾燥ダクト２２や給水電磁弁４、循環ポンプ１６などとの接続用に用いている。   
給水電磁弁４は、本実施例では４方向に給水を行えるよう４連弁を使用している。一つ目は洗濯給水電磁弁で、給水入口３２に接続され、給水路３６の散水口３５から洗濯兼脱水槽９内に給水する。二つ目は洗剤給水電磁弁で、洗剤・仕上げ剤容器２８の洗剤投入室に接続されている。三つ目は仕上げ剤給水電磁弁で、洗剤・仕上げ剤容器２８の仕上げ剤投入室に接続されている。洗剤・仕上げ剤容器２８は、洗剤・仕上げ剤入口２８ａとつながっており、外槽１０内に洗剤や仕上げ剤が供給される。四つ目は後述する除湿機構２ｂに接続されている。   
外槽１０の底面には、エアトラップ２１ａが設けてあり、内部の圧力がチューブ２１ｂを介して水位センサ２１に伝えられ、外槽９内の洗濯水の水位を検知する。   
１７は洗濯水の循環パイプで、外槽底部に設けた通水通気口１０ｂと循環水入口３３との間を接続する。循環パイプ１７の途中には、機体底部に設けた循環ポンプ１６、異物トラップ１８があり、異物トラップ１８には排水弁１５を介して排水ホース２４が接続している。   
３０は槽カバー３１の後面３１ｂの下面（洗濯兼脱水槽９側）に設けた循環水カバーである。図５は、循環水カバー３０および給水カバー３６を取り付けた槽カバー３１の後面３１ｂを下方から見た平面図で、図６は図５で循環水カバー３０を取り外した状態を示す平面図である。   
循環水カバー３０は、循環水入口３３から流入した洗濯水を槽カバー３１の洗濯物投入口３１ａ側に導き、洗濯兼脱水槽９内に散水するために設けたものである。給水カバー３６は、給水入口３２から流入した水道水を洗濯物投入口３１ａ側に導き、洗濯兼脱水槽９内に散水するために設けたものである。給水カバー３６には、洗濯兼脱水槽９内に向かって開口した複数個の散水口３５が設けてある。   
循環水カバー３０には循環水路３７が形成されている。循環水路３７は一端が循環水入口３３とつながっており、他端はノズル３４に接続している。循環水路３７の周囲は、循環水カバー３０の端面をガスケット５８に押付けて固定することで水封されている。  
図７は、洗濯兼脱水槽９と付属する部品を上方から見た斜視図である。図７のように、フィルターケース４０が洗濯兼脱水槽９の内周面に取り付けられており、このフィルターケース４０の上下両端は洗濯兼脱水槽９底面と流体バランサー９ａの間に支持されている。このフィルターケース４０は、上下方向に延在する板状体で形成され、洗濯兼脱水槽９との間に洗濯水が流通可能な隙間を有している。
【００１２】
また、フィルターケース４０の内周面側（洗濯兼脱水槽９の回転軸中心へ向く側）には、糸屑フィルタ４１が組み付けられる部分として凹部が形成されている。このフィルターケース４０の凹部には、フィルターケース４０の幅方向中央に洗濯水導入孔４０ａが形成され、裏側に後述するリブ４０ｂ，４０ｃが形成される（図９参照）。
【００１３】
つぎに、本実施形態における糸屑フィルタ４１の構造について説明する。図１０に示すように、糸屑フィルタ４１は、薄く上下に長い略直方体形状を有し、その内側は中空になっており、下部中央にヒンジが設けられている。ヒンジは、糸屑フィルタ４１の表面板４１ｂの下端と、裏面板４１ｃの下端とを軸支することで、このヒンジ周りに表面板４１ｂと裏面板４１ｃとを相対的に回動させる構成となっている。
【００１４】
また、糸屑フィルタ４１の下部には、フィルターケース４０を差し込み固定するための爪部４１ｄが設けられ、糸屑フィルタ４１の上部には、着脱可能な係止部４１ｅが設けられている。なお、フィルターケース４０の凹部の下側には、爪部４１ｄが嵌入される嵌入穴（図示せず）が形成され、凹部の上側には、係止部４１ｅが係止される係止穴（図示せず）が形成されている。したがって、糸屑フィルタ４１をフィルターケース４０から取り外し、表面板４１ｂと裏面板４１ｃとを展開して広げれば、糸屑フィルタ４１で捕集された糸屑を容易に取り除くことができる。
【００１５】
さらに、糸屑フィルタ４１の前側には、上下方向の少なくとも下半分を占めるようにフィルタ部４１ｆが形成され、フィルタ部４１ｆが形成されていない上部には、左右横長の窪みで指掛部が形成されている。フィルタ部４１ｆは、略格子状の枠部で複数の孔部が区画され、これらの孔部は、中空の糸屑フィルタ４１の内外を連通させる。
【００１６】
そして、裏面板４１ｃには、フィルターケース４０の洗濯水導入孔４０ａと対応する位置に、導入口４１ａが形成されている。この糸屑フィルタ４１に設けられる導入口４１ａは、水流を妨げないように、フィルターケース４０の洗濯水導入孔４０ａよりも大きく開口させることが望ましい。
【００１７】
図８は、図７のＡ−Ａ断面図、図９は、糸屑フィルタ４１を取り付けた状態におけるフィルターケース４０の背面図である。フィルターケース４０の幅方向中央にある洗濯水導入孔４０ａへは、外槽１０と洗濯兼脱水槽９との間の空間に存在する洗濯水４３が脱水孔９ａを通して流入するとともに、フィルターケース４０の左右方向の側面に形成された洗濯水導入経路を通して洗濯兼脱水槽９内の洗濯水４２が流入する。
【００１８】
ここで、フィルターケース４０の導入口４０ａとの対向面には、糸屑フィルタ４１の導入口４１ａが位置しており、この導入口４１ａから糸屑フィルタ４１内へ流入した洗濯水は、フィルタ部４１ｆでろ過されて洗濯兼脱水槽９内へ吐き出される。このフィルタ部４１ｆのメッシュ状フィルタを通過するときに、洗濯水に含まれる糸屑を捕集する。
【００１９】
フィルターケース４０の背面側（洗濯兼脱水槽９の回転軸中心と反対側）には、導入口４０ａの左右両側端から、フィルターケース４０の左右両側端へ向かって、一方は下へ傾斜するように、他方は上へ傾斜するように、リブ４０ｂ，４０ｃが設けられている。これらのリブは左右の傾斜を逆に形成しても構わない。また、導入口４０ａの左右両側端からは、フィルターケース４０の左右両側端へ向かって水平方向に延びるリブ４０ｄ，４０ｅも設けられている。このように、上下方向に傾斜するリブと水平方向へ延びるリブとによって、フィルターケース４０の左右の側面から糸屑フィルタ４１内へ水を呼び込むための、スリット状の洗濯水導入経路が形成される。
【００２０】
そして、上斜めに形成されたリブ４０ｂが、洗濯兼脱水槽９の上部である高水位側の水流を洗濯水導入経路から糸屑フィルタ４１内へ整流する。同様に、下斜めに形成されたリブ４０ｃが、洗濯兼脱水槽９の下部である低水位側の水流を洗濯水導入経路から糸屑フィルタ４１内へ整流する。したがって、高水位、低水位のどちらでも糸屑を捕集できる。
【００２１】
また、基本的に、洗濯兼脱水槽９の回転方向と同じ側の洗濯水導入経路から洗濯水が取り込まれる。そのため、フィルターケース４０の傾斜するリブ４０ｂ，４０ｃを左右対称に両方に設けることにより、左右どちらの回転においても効率的に高水位・低水位で洗濯水をフィルターケース４０から取り込んで糸屑を捕集するように構成しても良い。なお、フィルターケース４０の導入口４０ａの高さについては、洗濯兼脱水槽９内に注水される最高水位に対して半分程度の位置が望ましい。これにより、高水位でも多くの水流をフィルターケース４０内に取り込むことが可能となる。
【００２２】
なお、フィルターケース４０および糸屑フィルタ４１は、洗濯兼脱水槽９の内周面に、互いに対向するようにそれぞれ複数設けても良い。また、糸屑フィルタ４１の構造は、上述のような格子状の枠を有する折り畳み式のものに限らず、袋状のものであっても良い。また、本実施形態では、循環ポンプ１６を用いて洗濯水を循環させる方式の洗濯機について説明したが、これに限られるものではない。すなわち、洗濯兼脱水槽９の下部の洗濯水を洗濯兼脱水槽９や回転翼４３の回転による遠心力で、フィルターケース４０の下部の隙間から吸い上げ、フィルターケース４０の裏面と洗濯兼脱水槽９との間の隙間を循環流路として水流を上昇させて、糸屑フィルタ４１又はその上部に別途設けた散水口から洗濯兼脱水槽９内へ吹出しても良い。
【符号の説明】
【００２３】
１      洗濯乾燥機
２      トップカバー
３      外蓋
９      脱水洗濯槽
９ａ    流体バランサー
１０    外槽
１１    回転翼盤
３１    槽カバー
４０    フィルターケース
４０ａ  導入口
４１    糸屑フィルタ
【図１】
2016032505.tif 000003
【図２】
2016032505.tif 000004
【図３】
2016032505.tif 000005
【図４】
2016032505.tif 000006
【図５】
2016032505.tif 000007
【図６】
2016032505.tif 000008
【図７】
2016032505.tif 000009
【図８】
2016032505.tif 000010
【図９】
2016032505.tif 000011
【図１０】
2016032505.tif 000012